(57)【要約】【課題】単なる手摺としてだけでなくテーブル等としても利用可能な柱状体を段差部近傍に設置して、使用者にとって快適な居住空間を提供する。【解決手段】通常の床レベルを有する通常床部１０と、通常床部１０よりも高い床レベルを有する高床部２０と、からなる段差部３０を備える建物１であって、通常床部１０に固定された柱４１と、柱４１の上端に取り付けられて縁が柱４１から鍔状にせり出した天板４２と、を有する柱状体４０を段差部３０近傍に設ける。【選択図】図２
2015175122.tif 000002
【特許請求の範囲】
【請求項１】
通常の床レベルを有する通常床部と、前記通常床部よりも高い床レベルを有する高床部と、からなる段差部を備える建物であって、
前記通常床部に固定された柱と、前記柱の上端に取り付けられて縁が前記柱から鍔状にせり出した天板と、を有する柱状体が前記段差部近傍に設けられている、建物。
【請求項２】
前記柱の断面は円形であり、前記天板は円板状である、請求項１に記載の建物。
【請求項３】
前記柱状体は、前記段差部に沿って複数設けられている、請求項１又は２に記載の建物。
【請求項４】
前記柱は、前記通常床部と、前記高床部の縁と、の双方に固定されている、請求項１から３の何れか一項に記載に建物。
【請求項５】
前記高床部の下方領域において前記柱の近傍に収納部が設けられており、
前記収納部は、前記通常床部側に開口部を有している、請求項１から４の何れか一項に記載の建物。
【請求項６】
前記柱は、前記高床部の縁側の鉛直荷重を支持するように構成されている、請求項１から５の何れか一項に記載の建物。
【請求項７】
前記高床部は、少なくとも二方向に延設された縁を有しており、それらの縁の交差部に前記柱状体が設けられている、請求項１から６の何れか一項に記載の建物。
【発明の詳細な説明】
【技術分野】
【０００１】
本発明は、建物に関する。
【背景技術】
【０００２】
現在、玄関の上がり框、浴室、ベランダ等の段差部分に補助用の手摺を設ける技術が提案されている（例えば、特許文献１参照）。特許文献１に記載された段差用補助手摺を採用すると、使用者の体格の違い等に応じて手摺本体の高さや縦軸回りの姿勢を変更調整することができる、とされている。
【先行技術文献】
【特許文献】
【０００３】
【特許文献１】特開２００５−８９９７４号公報
【発明の概要】
【発明が解決しようとする課題】
【０００４】
ところで、近年においては、建物内の居間や食堂等の居室に意図的に通常床部よりも高い床レベルを有する高床部を設け、段差部が形成された居住空間が提案されている。このような段差部を有する居住空間では、高床部に畳を敷いて和室として使用したり、段差部を長椅子代わりに使用したりすることができる。
【０００５】
しかし、段差部を有する居住空間では、手摺を設けないと通常床部と高床部との間の昇降動作が難しい場合がある。この点、前記した特許文献１では段差用補助手摺が提案されているものの、このような従来の手摺は、手摺棒が水平方向に延設されて設置のために相当程度の広さが必要であり、かつ、複雑な形状を有して意匠性も劣ることから、居室内の設置にはふさわしくないものであった。また、単なる手摺として機能するだけであって、それ以上の付加価値を提供するものではなかった。
【０００６】
本発明は、かかる事情に鑑みてなされたものであり、単なる手摺としてだけでなくテーブル等としても利用可能な柱状体を段差部近傍に設置して、使用者にとって快適な居住空間を提供することを目的とする。
【課題を解決するための手段】
【０００７】
前記目的を達成するため、本発明に係る建物は、通常の床レベルを有する通常床部と、通常床部よりも高い床レベルを有する高床部と、からなる段差部を備えるものであって、通常床部に固定された柱と、柱の上端に取り付けられて縁が柱から鍔状にせり出した天板と、を有する柱状体が段差部近傍に設けられているものである。
【０００８】
かかる構成を採用すると、通常床部と高床部との間を昇降する際、高床部に腰掛ける際、高床部から立ち上がる際等において、柱状体を姿勢保持用の手掛けとして使用することができる。また、高床部に腰掛けた際に柱状体をテーブル等として使用することができ、多目的に利用することができる。さらに、柱と天板で構成された柱状体は、大きな設置スペースが不要であり、外観上もシンプルな形状であって居室に設置しても違和感がないという利点がある。
【０００９】
本発明に係る建物において、断面円形の柱を採用し、円板状の天板を採用することができる。
【００１０】
かかる構成を採用すると、柱の断面は円形であり、天板は円板状であるため、誤って柱や天板にぶつかった際の危険度が小さい。また、天板は、円板状であるためどの方向からも把持し易いという利点がある。
【００１１】
本発明に係る建物において、柱状体を、段差部に沿って複数設けることができる。
【００１２】
かかる構成を採用すると、段差部に沿って柱状体が複数設けられているため、これら柱状体を利用して段差部の上方にネットや柵を容易に取り付けることができ、高床部に乳幼児を寝かせておく場合に転落防止を図ることができる。
【００１３】
本発明に係る建物において、柱を、通常床部と、高床部の縁と、の双方に固定することができる。
【００１４】
かかる構成を採用すると、柱状体の柱の下端部が通常床部に固定されるだけでなく、柱の中間部も高床部の縁に固定されるため、人が昇降する際等に柱に作用する水平力に対する抵抗力が大きく、安全性が高い。
【００１５】
本発明に係る建物において、高床部の下方領域において柱の近傍に収納部を設けることができる。かかる場合において、通常床部側に開口部を有する収納部を採用することができる。
【００１６】
かかる構成を採用すると、高床部の下方領域の柱近傍に、通常床部側に開口部を有する収納部が設けられているため、人が柱近傍の高床部に座り、天板を利用しつつ柱近傍の収納部をも利用することができ、人の居場所を創出することができる。
【００１７】
本発明に係る建物において、高床部の縁側の鉛直荷重を支持するように柱を構成することができる。
【００１８】
かかる構成を採用すると、柱によって高床部の縁側の鉛直荷重を支持することができるため、人の昇降時の荷重等による高床部の縁側の撓みを防止（強度を確保）することができる。
【００１９】
本発明に係る建物において、少なくとも二方向に延設された縁を有する高床部を採用し、それらの縁の交差部に柱状体を設けることができる。
【００２０】
かかる構成を採用すると、高床部の縁の交差部に柱状体が設けられているため、高床部の縁の交差部の近くを人が通過する際、交差部の下方の角に足元をぶつけて怪我をするのを防止することができる。
【発明の効果】
【００２１】
本発明によれば、単なる手摺としてだけでなくテーブル等としても利用可能な柱状体を段差部近傍に設置して、使用者にとって快適な居住空間を提供することが可能となる。
【図面の簡単な説明】
【００２２】
【図１】本発明の実施形態に係る建物の概要を説明するための説明図である。
【図２】本発明の実施形態に係る建物の段差部を中心とした構成を示す斜視図である。
【図３】本発明の実施形態に係る建物の段差部を中心とした構成を説明するための平面図である。
【図４】本発明の実施形態に係る建物の段差部を中心とした構成を説明するための正面図である。
【図５】本発明の実施形態に係る建物の柱状体の変形例を示す説明図である。
【図６】本発明の実施形態に係る建物の柱状体の変形例を示す説明図である。
【発明を実施するための形態】
【００２３】
以下、図面を参照して、本発明の実施形態について説明する。なお、以下の実施形態はあくまでも好適な適用例であって、本発明の適用範囲がこれに限定されるものではない。
【００２４】
本実施形態に係る建物１は、図１〜図４に示すように、通常の床レベルを有する通常床部１０と、通常床部１０よりも高い床レベルを有する高床部２０と、通常床部１０と高床部２０とからなる段差部３０と、を備えている。高床部２０は、二方向に延設された縁２１を有しており、これら縁２１の交差部２２に柱状体４０（後述）が設けられている。段差部３０の高さは、３０〜４５ｃｍ程度に設定することができる。
【００２５】
本実施形態においては、図１に示すように、居間と食堂が一体となった空間２に高床部２０が設けられており、高床部２０に隣接して和室３が配置されている。図１に示すように、高床部２０、居間に設置されたソファー４、食堂に設置されたダイニングテーブル５の各々に座る人は、お互いに視線が通り、コミュニケーションがとれる位置関係となる。
【００２６】
建物１の段差部３０の近傍には、通常床部１０に固定された柱４１と、柱４１の上端に取り付けられて縁が柱４１から鍔状にせり出した天板４２と、を有する柱状体４０が設けられている。本実施形態においては、段差部３０に沿って２個の柱状体４０を設けているが、柱状体４０の個数はこれに限られるものではない。柱４１及び天板４２としては、いずれも木製のものを採用することができる。
【００２７】
各柱状体４０の柱４１の断面は円形とされている。柱４１の直径は１０〜１５ｃｍ程度に設定することができ、柱４１の高さは６５〜８０ｃｍ程度に設定することができる。各柱状体４０の天板４２は円板状とされている。円板４２の直径は２０〜３０ｃｍ程度に設定することができ、円板４２の厚さは２〜４ｃｍ程度に設定することができる。本実施形態においては、柱４１の直径が円板４２の直径と比較すると小さいため、設置スペースが僅かで済むという利点がある。
【００２８】
本実施形態においては、各柱状体４０の柱４１が、通常床部１０と、高床部２０の縁２１に設けられた框部材２３と、の双方に固定されている。柱４１を通常床部１０及び框部材２３に固定する手段及び方法は特に限定されるものではなく、例えばビスや接着剤等を用いて固定することができる。また、各柱状体４０の柱４１は、高床部２０の縁２１側の鉛直荷重を支持するように構成されている。その支持方法は特に限定されるものではなく、例えば、柱４１に形成された切欠き部に対して縁２１に設けられた框部材２３が貫入するように構成されていてもよい。
【００２９】
高床部２０の下方領域であって柱状体４０の柱４１の近傍には、図２〜図４に示すように、収納部５０が設けられている。収納部５０は、通常床部１０側に開口部５１を有している。本実施形態においては、収納部５０には、図２〜図４に示すように、上方に開口部６１を有するキャスター付きの箱６０が収納されており、キャスターを利用して箱６０を収納部５０から容易に引き出すことができる。
【００３０】
以上説明した実施形態に係る建物１においては、通常床部１０と高床部２０との間を昇降する際、高床部２０に腰掛ける際、高床部２０から立ち上がる際等において、柱状体４０を姿勢保持用の手掛けとして使用することができる。また、高床部２０に腰掛けた際に柱状体４０をテーブル等として使用することができ、多目的に利用することができる。さらに、柱４１と天板４２で構成された柱状体４０は、大きな設置スペースが不要であり、外観上もシンプルな形状であって居室に設置しても違和感がないという利点がある。
【００３１】
また、以上説明した実施形態に係る建物１においては、柱４１の断面が円形であり、天板４２は円板状であるため、誤って柱４１や天板４２にぶつかった際の危険度が小さい。また、天板４２は、円板状であるためどの方向からも把持し易いという利点がある。
【００３２】
また、以上説明した実施形態に係る建物１においては、段差部３０に沿って柱状体４０が複数設けられているため、これら柱状体４０を利用して段差部３０の上方にネットや柵を容易に取り付けることができ、高床部２０に乳幼児を寝かせておく場合に転落防止を図ることができる。
【００３３】
また、以上説明した実施形態に係る建物１においては、柱状体４０の柱４１の下端部が通常床部１０に固定されるだけでなく、柱４１の中間部も高床部２０の縁２１に固定されるため、人が昇降する際等に柱４１に作用する水平力に対する抵抗力が大きく、安全性が高い。
【００３４】
また、以上説明した実施形態に係る建物１においては、高床部２０の下方領域の柱４１近傍に、通常床部１０側に開口部５１を有する収納部５０が設けられているため、人が柱４１近傍の高床部２０に座り、天板４２を利用（天板４２に飲み物を置く等）しながら、柱４１近傍の収納部５０をも利用（収納部５０にしまった本を読む等）することができ、人の居場所を創出することができる。
【００３５】
また、以上説明した実施形態に係る建物１においては、高床部２０の縁２１（先端）側の鉛直荷重を支持するように柱４１を構成しているため、人の昇降時の荷重等による高床部２０の縁２１側の撓みを防止（強度を確保）することができる。
【００３６】
また、以上説明した実施形態に係る建物１においては、高床部２０の縁２１の交差部２２に柱状体４０が設けられているため、高床部２０の縁２１の交差部２２の近くを人が通過する際、交差部２２の下方の角に足元をぶつけて怪我をするのを防止することができる。
【００３７】
なお、本実施形態においては、断面真円形の柱４１と、円板状（平面視真円形）の天板４２と、を採用した例を示したが、柱及び天板の形状はこれに限られるものではない。例えば、断面多角形（三角形、四角形、六角形等）や断面楕円形の柱を採用したり、平面視多角形（三角形、四角形、六角形等）や平面視楕円形の天板を採用したりすることもできる。
【００３８】
また、本実施形態においては、上下に平らな面を有する天板４２を採用した例を示したが、図５（一部断面図）に示すように、天板４２の下部に、指を掛け易くする指掛け部（突出部４３や溝部４４）を天板４２の周方向に沿って設けることもできる。
【００３９】
また、本実施形態においては、柱４１の直径を円板４２の直径よりも小さくした例を示したが、柱４１の直径と円板４２の直径とを同一にすることもできる。例えば図６に示すように、一本の柱の上端部近傍に周方向に沿って所定幅の溝４５を彫ることにより、柱４１の直径と円板４２の直径とが同一の柱状体４０を形成することができる。
【００４０】
本発明は、以上の実施形態に限定されるものではなく、かかる実施形態に当業者が適宜設計変更を加えたものも、本発明の特徴を備えている限り、本発明の範囲に包含される。すなわち、前記実施形態が備える各要素及びその配置、材料、条件、形状、サイズ等は、例示したものに限定されるわけではなく適宜変更することができる。また、前記実施形態が備える各要素は、技術的に可能な限りにおいて組み合わせることができ、これらを組み合わせたものも本発明の特徴を含む限り本発明の範囲に包含される。
【符号の説明】
【００４１】
１…建物
１０…通常床部
２０…高床部
２１…縁
２２…交差部
３０…段差部
４０…柱状体
４１…柱
４２…天板
５０…収納部
５１…開口部
【図１】
2015175122.tif 000003
【図２】
2015175122.tif 000004
【図３】
2015175122.tif 000005
【図４】
2015175122.tif 000006
【図５】
2015175122.tif 000007
【図６】
2015175122.tif 000008